【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、
符号化ビデオデータと、第１の色再マッピング識別値を含む第１の色再マッピング情報（ＣＲＩ）補足エンハンスメント情報（ＳＥＩ）メッセージと、第２の色再マッピング識別値を含む第２のＣＲＩ  ＳＥＩメッセージとを含むビットストリームを受信することと、ここにおいて、前記第１のＣＲＩ  ＳＥＩメッセージおよび前記第２のＣＲＩ  ＳＥＩメッセージは、前記符号化ビデオデータの同じピクチャに関連し、ここにおいて、前記第１のＣＲＩ  ＳＥＩメッセージは、第１の１つまたは複数の色再マッピングプロセスに対応する情報を含み、ここにおいて、前記第２のＣＲＩ  ＳＥＩメッセージは、前記第１の１つまたは複数の色再マッピングプロセスとは異なる第２の１つまたは複数の色再マッピングプロセスに対応する情報を含み、
前記第１の識別値と前記第２の識別値とに基づいて、前記符号化ビデオデータの前記同じピクチャに、前記第１のＣＲＩ  ＳＥＩメッセージに含まれる前記情報に対応する前記第１の１つまたは複数の色再マッピングプロセスおよび前記第２のＣＲＩ  ＳＥＩメッセージに含まれる前記情報に対応する前記第２の１つまたは複数の色再マッピングプロセスを適用する順序を決定することと、
復号ビデオデータを発生させるために前記符号化ビデオデータを復号することと、
前記第１または第２の１つまたは複数の色再マッピングプロセスの任意の色再マッピングプロセスを適用する前に、処理された復号ビデオデータを生成するために前記復号ビデオデータに、アップサンプリングプロセスを適用することと、
前記復号ビデオデータに前記アップサンプリングプロセスを適用した後、前記処理された復号ビデオデータに、前記決定された順序において、前記第１のＣＲＩ  ＳＥＩメッセージに含まれる前記情報に対応する前記第１の１つまたは複数の色再マッピングプロセスの少なくとも１つの色再マッピングプロセスおよび前記第２のＣＲＩ  ＳＥＩメッセージに含まれる前記情報に対応する前記第２の１つまたは複数の色再マッピングプロセスの少なくとも１つの色再マッピングプロセスを適用することと
を備える、方法。
【請求項２】
前記第１のＣＲＩ  ＳＥＩメッセージは、（i）前記アップサンプリングプロセス、（ii）ダウンサンプリングプロセス、（iii）色空間コンバージョンプロセス、（iv）逆量子化プロセス、および（v）前記復号ビデオデータのコンポーネントを表すために使用される色プライマリの変更、のうちのいずれかに対応する情報を含まない、請求項１に記載の方法。
【請求項３】
前記第１のＣＲＩ  ＳＥＩメッセージの一部として、
前記処理された復号ビデオデータが、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記第１のＣＲＩ  ＳＥＩメッセージに含まれる前記情報に対応する前記第１の１つまたは複数の色再マッピングプロセスが、前記第１の１つまたは複数の色再マッピングプロセスの各それぞれの色再マッピングプロセスにそれぞれ対応する入力と出力とが等しくなるように構成されるかどうか、あるいは
（i）前記アップサンプリングプロセス、（ii）ダウンサンプリングプロセス、（iii）色空間コンバージョンプロセス、（iv）逆量子化プロセス、または（v）前記復号ビデオデータのコンポーネントを表すために使用される色プライマリの変更、のうちの前記少なくとも１つが、前記第１のＣＲＩ  ＳＥＩメッセージに含まれる前記情報に対応する前記第１の１つまたは複数の色再マッピングプロセスのうちの２つの色再マッピングプロセスの適用の間で適用されるべきであるかどうか
を示すシンタックス要素に対応する値を受信すること
をさらに備える、請求項１に記載の方法。
【請求項４】
ビデオデータを処理するように構成されたデバイスであって、前記デバイスが、
符号化ビデオデータを含むビットストリームを受信するように構成されたインターフェースと、
前記インターフェースと通信状態にあるメモリと、前記メモリは、前記符号化ビデオデータを記憶するように構成されており、
前記メモリと通信状態にある１つまたは複数のプロセッサと
を備え、前記１つまたは複数のプロセッサが、
前記メモリに記憶された前記符号化ビデオデータの第１の色再マッピング情報（ＣＲＩ）補足エンハンスメント情報（ＳＥＩ）メッセージを処理することと、前記第１のＣＲＩ  ＳＥＩメッセージは、第１の色再マッピング識別値を含み、第２のＣＲＩ  ＳＥＩメッセージが、第２の色再マッピング識別値を含み、
ここにおいて、前記第１のＣＲＩ  ＳＥＩメッセージおよび前記第２のＣＲＩ  ＳＥＩメッセージは、前記符号化ビデオデータの同じピクチャに関連し、ここにおいて、前記第１のＣＲＩ  ＳＥＩメッセージは、第１の１つまたは複数の色再マッピングプロセスに対応する情報を含み、
第２の色再マッピング識別値を含む第２のＣＲＩ  ＳＥＩメッセージを処理することと、ここにおいて、前記第２のＣＲＩ  ＳＥＩメッセージは、前記第１のＣＲＩ  ＳＥＩメッセージにも対応する前記メモリに記憶された前記符号化ビデオデータの一部分に対応し、ここにおいて、前記第２のＣＲＩ  ＳＥＩメッセージは、前記第１の１つまたは複数の色再マッピングプロセスとは異なる第２の１つまたは複数の色再マッピングプロセスに対応する情報を含み、
前記第１の識別値と前記第２の識別値とに基づいて、前記符号化ビデオデータの前記同じピクチャに、前記第１のＣＲＩ  ＳＥＩメッセージに含まれる前記情報に対応する前記第１の１つまたは複数の色再マッピングプロセスおよび前記第２のＣＲＩ  ＳＥＩメッセージに含まれる前記情報に対応する前記第２の１つまたは複数の色再マッピングプロセスを適用する順序を決定することと、
復号ビデオデータを発生させるために前記符号化ビデオデータを復号することと、
前記第１または第２の１つまたは複数の色再マッピングプロセスの任意の色再マッピングプロセスの適用より前に、処理された復号ビデオデータを生成するために前記復号ビデオデータに、アップサンプリングプロセスを適用することと、
前記復号ビデオデータへの前記アップサンプリングプロセスの前記適用後、前記処理された復号ビデオデータに、前記決定された順序において、前記第１のＣＲＩ  ＳＥＩメッセージに含まれる前記情報に対応する前記第１の１つまたは複数の色再マッピングプロセスの少なくとも１つの色再マッピングプロセスおよび前記第２のＣＲＩ  ＳＥＩメッセージに含まれる前記情報に対応する前記第２の１つまたは複数の色再マッピングプロセスの少なくとも１つの色再マッピングプロセスを適用することと
をするように構成されている、デバイス。
【請求項５】
前記第１のＣＲＩ  ＳＥＩメッセージは、（i）前記アップサンプリングプロセス、（ii）ダウンサンプリングプロセス、（iii）色空間コンバージョンプロセス、（iv）逆量子化プロセス、および（v）前記復号ビデオデータのコンポーネントを表すために使用される色プライマリの変更、のうちのいずれかに対応する情報を含まない、請求項４に記載のデバイス。
【請求項６】
前記１つまたは複数のプロセッサが、
前記第１のＣＲＩ  ＳＥＩメッセージの一部として、
前記処理された復号ビデオデータが、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記第１のＣＲＩ  ＳＥＩメッセージに含まれる前記情報に対応する前記第１の１つまたは複数の色再マッピングプロセスが、前記第１の１つまたは複数の色再マッピングプロセスの各色再マッピングプロセスにそれぞれ対応する入力と出力とが等しくなるように構成されるかどうか、あるいは
（i）前記アップサンプリングプロセス、（ii）ダウンサンプリングプロセス、（iii）色空間コンバージョンプロセス、（iv）逆量子化プロセス、または（v）前記復号ビデオデータのコンポーネントを表すために使用される色プライマリの変更、のうちの前記少なくとも１つが、前記第１のＣＲＩ  ＳＥＩメッセージに含まれる前記情報に対応する前記第１の１つまたは複数の色再マッピングプロセスのうちの２つの色再マッピングプロセスの適用の間で適用されるべきであるかどうか
を示すシンタックス要素に対応する値を受信すること
をするようにさらに構成された、請求項４に記載のデバイス。
【請求項７】
符号化ビデオデータと、第１の色再マッピング識別値を含む第１の色再マッピング情報（ＣＲＩ）補足エンハンスメント情報（ＳＥＩ）メッセージと、第２の色再マッピング識別値を含む第２のＣＲＩ  ＳＥＩメッセージとを含むビットストリームを受信するための手段と、ここにおいて、前記第１のＣＲＩ  ＳＥＩメッセージおよび前記第２のＣＲＩ  ＳＥＩメッセージは、前記符号化ビデオデータの同じピクチャに関連し、ここにおいて、前記第１のＣＲＩ  ＳＥＩメッセージは、第１の１つまたは複数の色再マッピングプロセスに対応する情報を含み、ここにおいて、前記第２のＣＲＩ  ＳＥＩメッセージは、前記第１の１つまたは複数の色再マッピングプロセスとは異なる第２の１つまたは複数の色再マッピングプロセスに対応する情報を含み、
前記第１の識別値と前記第２の識別値とに基づいて、前記符号化ビデオデータの前記同じピクチャに、前記第１のＣＲＩ  ＳＥＩメッセージに含まれる前記情報に対応する前記第１の１つまたは複数の色再マッピングプロセスおよび前記第２のＣＲＩ  ＳＥＩメッセージに含まれる前記情報に対応する前記第２の１つまたは複数の色再マッピングプロセスを適用する順序を決定するための手段と、
復号ビデオデータを発生させるために前記符号化ビデオデータを復号するための手段と、
前記第１または第２の１つまたは複数の色再マッピングプロセスの任意の色再マッピングプロセスの適用より前に、処理された復号ビデオデータを生成するために前記復号ビデオデータに、アップサンプリングプロセスを適用するための手段と、
前記復号ビデオデータに前記アップサンプリングプロセスを適用した後、前記処理された復号ビデオデータに、前記決定された順序において、前記第１のＣＲＩ  ＳＥＩメッセージに含まれる前記情報に対応する前記第１の１つまたは複数の色再マッピングプロセスの少なくとも１つの色再マッピングプロセスおよび前記第２のＣＲＩ  ＳＥＩメッセージに含まれる前記情報に対応する前記第２の１つまたは複数の色再マッピングプロセスの少なくとも１つの色再マッピングプロセスを適用するための手段と
を備える装置。
【請求項８】
前記第１のＣＲＩ  ＳＥＩメッセージは、（i）前記アップサンプリングプロセス、（ii）ダウンサンプリングプロセス、（iii）色空間コンバージョンプロセス、（iv）逆量子化プロセス、および（v）前記復号ビデオデータのコンポーネントを表すために使用される色プライマリの変更、のうちのいずれかに対応する情報を含まない、請求項７に記載の装置。
【請求項９】
前記第１のＣＲＩ  ＳＥＩメッセージの一部として、
前記処理された復号ビデオデータが、標準ダイナミックレンジ（ＳＤＲ）ディスプレイによる提示に対して互換性があるのか、または高ダイナミックレンジ（ＨＤＲ）ディスプレイによる提示に対して互換性があるのか、
前記第１のＣＲＩ  ＳＥＩメッセージに含まれる前記情報に対応する前記第１の１つまたは複数の色再マッピングプロセスが、前記第１の１つまたは複数の色再マッピングプロセスの各色再マッピングプロセスにそれぞれ対応する入力と出力とが等しくなるように構成されるかどうか、あるいは
（i）前記アップサンプリングプロセス、（ii）ダウンサンプリングプロセス、（iii）色空間コンバージョンプロセス、（iv）逆量子化プロセス、または（v）前記復号ビデオデータのコンポーネントを表すために使用される色プライマリの変更、のうちの前記少なくとも１つが、前記第１のＣＲＩ  ＳＥＩメッセージに含まれる前記情報に対応する前記第１の１つまたは複数の色再マッピングプロセスのうちの２つの色再マッピングプロセスの適用の間で適用されるべきであるかどうか
を示すシンタックス要素に対応する値を受信するための手段
をさらに備える、請求項７に記載の装置。